(57)【要約】【課題】ビス等を用いることなく、しかも通常姿勢となるように吊下げ可能なトイレ用リモコンを提供する。【解決手段】リモコン１は、略長方形盤状のリモコン本体２と、該リモコン本体２の上方を左右方向に延在するフック部３と、該フック部３の下側に形成された挿通部４とを有する。このフック部３は上方に凸に湾曲するアーチ状であり、その最上位部はリモコン１の重心の上方に位置している。リモコン１は、挿通部４にタオルリング、タオルバー又は手摺を通すことにより該タオルリング等に吊支される。【選択図】図１
2006104732.tif 000002
【特許請求の範囲】
【請求項１】
操作面を前面として設置される盤状のトイレ用リモコンにおいて、
タオルリング、タオルバー又は手摺を通すための挿通部がリモコン上部に設けられていることを特徴とするトイレ用リモコン。
【請求項２】
請求項１において、該挿通部は、リモコンの上部を左右方向に延在する、リモコンと一体のフック部の下側に形成されていることを特徴とするトイレ用リモコン。
【請求項３】
請求項２において、該フック部の下面にタオルリング、タオルバー又は手摺の位置決め部が設けられていることを特徴とするトイレ用リモコン。
【請求項４】
請求項３において、該位置決め部は、フック部の下面に形成された凹所よりなることを特徴とするトイレ用リモコン。
【請求項５】
請求項４又は５において、該位置決め部はリモコンの重心の上方に位置することを特徴とするトイレ用リモコン。
【請求項６】
請求項２ないし５のいずれか１項において、該フック部は上方に向ってアーチ状に湾曲しており、フック部の最上部がリモコンの重心の上方に位置することを特徴とするトイレ用リモコン。
【請求項７】
請求項１ないし６のいずれか１項において、該挿通部は、左右の一方が開放していることを特徴とするトイレ用リモコン。
【発明の詳細な説明】
【技術分野】
【０００１】
本発明は、トイレルームの温水洗浄装置等の電気機器等をリモートコントロールするためのトイレ用リモコンに係り、特に操作面を前面として配置されるトイレ用リモコンに関する。詳しくは、本発明は、トイレルームのタオルリング等の棒状体に保持させることが可能なトイレ用リモコンに関する。
【背景技術】
【０００２】
便器に設けられた温水洗浄設備等をリモコンによって遠隔操作する方式は周知である。このトイレ用リモコンを壁に取り付けるために、壁にビス等でリモコンホルダを取り付け、このリモコンホルダにリモコンを装着することが多い。しかし、このようにビスを用いることは、賃貸住宅や新築住宅等にあっては忌避される傾向にある。
【０００３】
特開２０００−３１６７６０号公報の図７等には、ペーパーホルダにリモコンを保持させる構造が記載されているが、予めペーパーホルダとして特殊な構造のものを壁に取り付けてある場合しか適用できない。同号公報の図１１には、リモコンを紐で吊り下げることが記載されているが、リモコンが前後左右に大きく揺れ動いたり、紐を中心として回転したりするため、操作しにくい。また、同図ではリモコンが斜めになっており、リモコンのスイッチを視認すること自体容易ではなく、きわめて操作性が悪い。
【特許文献１】特開２０００−３１６７６０号公報
【発明の開示】
【発明が解決しようとする課題】
【０００４】
本発明は、ビス等を用いることなく、しかも通常姿勢となるように吊下げ可能なトイレ用リモコンを提供することを目的とする。
【課題を解決するための手段】
【０００５】
本発明のトイレ用リモコンは、操作面を前面として設置される盤状のトイレ用リモコンにおいて、タオルリング、タオルバー又は手摺を通すための挿通部がリモコン上部に設けられていることを特徴とするものである。
【０００６】
請求項２のトイレ用リモコンは、請求項１において、該挿通部は、リモコンの上部を左右方向に延在する、リモコンと一体のフック部の下側に形成されていることを特徴とするものである。
【０００７】
請求項３のトイレ用リモコンは、請求項２において、該フック部の下面にタオルリング、タオルバー又は手摺の位置決め部が設けられていることを特徴とするものである。
【０００８】
請求項４のトイレ用リモコンは、請求項３において、該位置決め部は、フック部の下面に形成された凹所よりなることを特徴とするものである。
【０００９】
請求項５のトイレ用リモコンは、請求項４又は５において、該位置決め部はリモコンの重心の上方に位置することを特徴とするものである。
【００１０】
請求項６のトイレ用リモコンは、請求項２ないし５のいずれか１項において、該フック部は上方に向ってアーチ状に湾曲しており、フック部の最上部がリモコンの重心の上方に位置することを特徴とするものである。
【００１１】
請求項７のトイレ用リモコンは、請求項１ないし６のいずれか１項において、該挿通部は、左右の一方が開放していることを特徴とするものである。
【発明の効果】
【００１２】
本発明のトイレ用リモコンは、その挿通部にタオルリング、タオルバー又は手摺を挿入して吊支させる。これにより、リモコンをタオルリング等に対し吊支させることができ、壁にビス打ちすることなくリモコンを設置することができる。
【００１３】
本発明では、リモコンはその操作面が前面となるように保持されるため、スイッチを視認し易い。また、リモコンがタオルリング、タオルバー又は手摺に保持されるため、それほど大きく揺れ動いたりすることがなく、また回転することはないのでスイッチを操作し易い。
【００１４】
請求項２のトイレ用リモコンにあっては、フック部を手で掴んで運搬することができる。なお、このフック部はリモコンと一体に形成されているので、リモコンの見栄えが良い。
【００１５】
請求項３のトイレ用リモコンにあっては、フック部の下側に挿通されたタオルリング等に対しリモコンがズレ動くことが防止される。
【００１６】
請求項４のトイレ用リモコンにあっては、凹所に対しタオルリング等が係合することにより、リモコンのズレ動きが防止される。
【００１７】
請求項５，６のトイレ用リモコンにあっては、リモコンが水平姿勢にて吊支されるようになる。
【００１８】
請求項７のトイレ用リモコンによると、開放部を通してタオルリング等を挿通部に容易に出し入れすることができる。
【発明を実施するための最良の形態】
【００１９】
以下に、図面を参照して本発明の実施の形態について説明する。第１図は実施の形態に係るトイレ用リモコンの斜視図である。
【００２０】
なお、以下の説明において、左右方向とは、リモコンを正面から見たときの左右方向をいう。
【００２１】
この実施の形態では、リモコン１は、トイレルームの洋風便器に設けられた温水洗浄装置、フラッシュ装置及び便座開閉装置等をリモートコントロールするためのものである。
【００２２】
このリモコン１は、略長方形盤状のリモコン本体２と、該リモコン本体２の上方を左右方向に延在するフック部３と、該フック部３の下側に形成された挿通部４とを有する。このフック部３は上方に凸に湾曲するアーチ状であり、その最上位部はリモコン１の重心の上方（この実施の形態では左右方向の中央）に位置している。このフック部３は、その左右両端がリモコン本体２に連なっている。
【００２３】
該リモコン本体２の前面には、上記装置を操作するための各種スイッチが設けられている。第１図では、人体臀部を温水で洗浄するためのシャワースイッチ５、ビデスイッチ６、温風乾燥用の温風スイッチ７、これらの作動を停止するためのストップスイッチ８が設けられているが、これら以外のスイッチが設けられてもよい。
【００２４】
このように構成されたトイレ用リモコン１は、挿通部４にタオルリング、タオルバー又は手摺を通すことにより該タオルリング等に吊支される。このため、トイレの壁にビスを打つことなくトイレ用リモコン１を設置することができる。このトイレ用リモコン１は、硬質棒状のタオルリング等に吊支されるため、紐でぶら下げる場合に比べて揺れ動きにくく、また回転することはない。また、トイレ用リモコン１は水平に吊支される。そのため、リモコン１の前面を視認し易く、また比較的容易に各スイッチ５〜８を操作することができる。
【００２５】
第１図ではフック部３はアーチ状であるが、第２図のトイレ用リモコン１Ａのフック部３Ａのように水平横棒状としてもよい。
【００２６】
第１，２図では、フック部３，３Ａは左右両端がリモコン本体２に連なっているが、第３，４図のトイレ用リモコン１Ｂ，１Ｃのフック部３Ｂ，３Ｃのように、左右の一方に開放部９を設けてもよい。この開放部９を通してタオルバー等を挿通部４に出し入れすることができるので、リモコンをタオルリング等に容易に着脱することができる。
【００２７】
なお、第２，４図のトイレ用リモコン１Ａ，１Ｃにあっては、フック部３Ａ，３Ｃが横棒状であるため、挿通部４に挿通されたタオルリング等に対しフック部３Ａ，３Ｃが滑り易い。そのため、フック部の下面にタオルリング等の位置決め部を設けるのが好ましい。なお、第１，３図のリモコンにも同様の位置決め部を設けてもよい。
【００２８】
第５図〜第７図は位置決め部の一例を示すものである。第５図のトイレ用リモコン１Ｄでは位置決め部として凹所１０をフック部３Ｄの下面に設けている。タオルリング等はこの凹所１０に係合する。第６図のトイレ用リモコンでは、フック部３Ｅの下面に位置決め部として複数の突起１１を設けている。この突起１１は、散点状であってもよく、波状であってもよい。第７図のトイレ用リモコンでは、フック部３Ｆの下面に位置決め部としてゴム、軟質合成樹脂等のライニング１２を設けている。
【００２９】
第８図のトイレ用リモコン１Ｇは、挿通部の側方の開放部にロック片１３を設けたものである。このロック片１３は、フック部３Ｇに対し支軸１３ａを介して矢印θ方向に回動可能に取り付けられており、図示のように開放部を閉じた姿勢と、θ方向に回動して開放部を開放させた姿勢とをとりうるようになっている。開放部を開けると、タオルリング等を挿通部４に容易に出し入れすることができる。開放部を閉じておくと、タオルリング等が挿通部４から抜け出すことが防止される。なお、ロック片１３の回動方向先端部と、リモコン本体２の開放部に臨む部分との一方には小突起が設けられ、他方には該小突起が無理嵌め状に嵌合する凹部が設けられている。これら小突起と凹部とが嵌合することにより、軽度にロック片１３がロックされた状態となる。
【００３０】
上記実施の形態ではいずれもリモコンは長方形状の盤状であるが、第９図のトイレ用リモコン１Ｈのように略円形の正面視形状の盤状としてもよい。このトイレ用リモコン１Ｈのフック部３Ｈは円弧状に湾曲している。第９図ではリモコンは真円形に近い形状となっているが、楕円状とされてもよい。
【図面の簡単な説明】
【００３１】
【図１】実施の形態に係るトイレ用リモコン１の斜視図である。
【図２】実施の形態に係るトイレ用リモコン１Ａの斜視図である。
【図３】実施の形態に係るトイレ用リモコン１Ｂの斜視図である。
【図４】実施の形態に係るトイレ用リモコン１Ｃの斜視図である。
【図５】実施の形態に係るトイレ用リモコン１Ｄの斜視図である。
【図６】フック部３Ｅの正面図である。
【図７】フック部３Ｆの正面図である。
【図８】実施の形態に係るトイレ用リモコン１Ｇの斜視図である。
【図９】実施の形態に係るトイレ用リモコン１Ｈの斜視図である。
【符号の説明】
【００３２】
１，１Ａ〜１Ｈ  トイレ用リモコン
２  リモコン本体
３，３Ａ〜３Ｈ  フック部
４  挿通部
５〜８  スイッチ
９  開放部
１０  凹所
１３  ロック片
【図１】
2006104732.tif 000003
【図２】
2006104732.tif 000004
【図３】
2006104732.tif 000005
【図４】
2006104732.tif 000006
【図５】
2006104732.tif 000007
【図６】
2006104732.tif 000008
【図７】
2006104732.tif 000009
【図８】
2006104732.tif 000010
【図９】
2006104732.tif 000011